(57)【特許請求の範囲】
【請求項１】
監視対象機器であるエレベーター機器の動作状態を監視し、監視データとして記録し、当該監視データが正しく記録されているか否かを判定可能とする監視システムであって、
前記エレベーター機器の動作状態を示す第１監視データを記録する第１監視装置と、
前記第１監視装置と通信可能であり、前記第１監視データとは異なる形式で前記エレベーター機器の動作状態を示す第２監視データを記録する第２監視装置と、
を備え、
前記第１監視装置は、前記第１監視データの変化量が一定値を超えた時刻を示す第１変化点情報と前記第２監視データの変化量が一定値を超えた時刻を示す第２変化点情報とに基づいて類似度を評価することで前記第１監視データ及び前記第２監視データの正当性を判定する判定部を有する監視システム。
【請求項２】
前記判定部は、前記第１変化点情報と前記第２変化点情報との類似度が基準以上である場合に前記第１監視データ及び前記第２監視データの双方に正当性があると判定し、当該類似度が基準未満である場合に前記第１監視データ及び前記第２監視データの少なくとも一方に正当性が無いと判定する請求項１に記載の監視システム。
【請求項３】
前記第１監視装置は、
前記第１監視データから前記第１変化点情報を抽出する第１変化点情報管理部と、
前記第２監視装置から情報を取得する情報取得部と、
を有し、
前記第２監視装置は、前記第２監視データから前記第２変化点情報を抽出する第２変化点情報管理部を有し、
前記判定部は、前記第１変化点情報管理部により抽出された前記第１変化点情報と前記第２変化点情報管理部により抽出され且つ前記情報取得部により取得された前記第２変化点情報との類似度に基づいて前記第１監視データ及び前記第２監視データの正当性を判定する請求項１又は２に記載の監視システム。
【請求項４】
前記第１監視装置は、
前記第２監視装置から前記第２監視データを取得する情報取得部と、
前記第１監視データから前記第１変化点情報を抽出し、前記情報取得部により取得された前記第２監視データから前記第２変化点情報を抽出する第１変化点情報管理部と、
を有し、
前記判定部は、前記第１変化点情報管理部により抽出された前記第１変化点情報と前記第１変化点情報管理部により抽出された前記第２変化点情報との類似度に基づいて前記第１監視データ及び前記第２監視データの正当性を判定する請求項１又は２に記載の監視システム。
【請求項５】
前記第１監視装置と通信可能であり、前記第１監視データ及び前記第２監視データのうち少なくとも一方とは異なる形式で前記監視対象機器の動作状態を示す第３監視データを記録する第３監視装置を備え、
前記判定部は、前記第１監視データ及び前記第２監視データの少なくとも一方に正当性が無いと判定された場合に、前記第１変化点情報と前記第３監視データの変化量が一定値を超えた時刻を示す第３変化点情報との類似度に基づいて前記第１監視データ及び前記第３監視データの正当性を判定する請求項１から４のいずれか１項に記載の監視システム。
【請求項６】
前記第１監視データ及び前記第２監視データのうち一方は、映像データである請求項１から５のいずれか１項に記載の監視システム。
【請求項７】
前記第１監視データ及び前記第２監視データのうち一方は、ドアが映っている映像データであり、
前記第１監視データ及び前記第２監視データのうち他方は、前記ドアの戸開閉状態を示すデータである請求項６に記載の監視システム。
【請求項８】
前記第１監視データ及び前記第２監視データのうち一方は、エレベーターのかご内又は乗場に設けられた監視カメラで撮像された前記エレベーターのドアが映っている映像データであり、
前記第１監視データ及び前記第２監視データのうち他方は、前記エレベーターのドアの戸開閉状態を示すデータである請求項６に記載の監視システム。
【請求項９】
前記第１監視データ及び前記第２監視データのうち一方は、エレベーターのかご内又は乗場に設けられた監視カメラで撮像された前記エレベーターの表示装置が映っている映像データであり、
前記第１監視データ及び前記第２監視データのうち他方は、前記エレベーターの動作状態を示すデータである請求項６に記載の監視システム。
【発明の詳細な説明】
【技術分野】
【０００１】
本発明は、監視システムに関する。
【背景技術】
【０００２】
従来、機器の動作状態を監視する監視システムが知られている。監視システムは、例えば、機器の設置場所で監視データを記録する監視装置を備え得る。また、監視システムは、例えば、機器の設置場所とは異なる場所でネットワークを介して監視データを記録する監視装置を備え得る。例えば、下記特許文献１には、エレベーターの監視システムが記載されている。
【先行技術文献】
【特許文献】
【０００３】
【特許文献１】日本特開２０１４−４７０６４号公報
【発明の概要】
【発明が解決しようとする課題】
【０００４】
監視システムにおいて、例えば、監視装置の故障、ネットワーク障害又はデータ改ざん等の問題により、監視データが正しく記録されないことが起こり得る。これらの問題を検出する技術を導入すると、システムの構成が複雑になる。【０００５】
本発明は、上記の課題を解決するためになされた。本発明の目的は、簡単な構成で監視データの正当性を判定することができる監視システムを提供することである。
【課題を解決するための手段】
【０００６】
本発明に係る監視システムは、監視対象機器であるエレベーター機器の動作状態を監視し、監視データとして記録し、当該監視データが正しく記録されているか否かを判定可能とする監視システムであって、エレベーター機器の動作状態を示す第１監視データを記録する第１監視装置と、第１監視装置と通信可能であり、第１監視データとは異なる形式でエレベーター機器の動作状態を示す第２監視データを記録する第２監視装置と、を備える。第１監視装置は、第１監視データの変化量が一定値を超えた時刻を示す第１変化点情報と第２監視データの変化量が一定値を超えた時刻を示す第２変化点情報とに基づいて類似度を評価することで第１監視データ及び第２監視データの正当性を判定する判定部を有する。
【発明の効果】
【０００７】
本発明において、判定部は、第１変化点情報と第２変化点情報との類似度に基づいて第１監視データ及び第２監視データの正当性を判定する。このため、本発明によれば、簡単な構成で監視データの正当性を判定することができる。
【図面の簡単な説明】
【０００８】
【図１】実施の形態１における監視システムの機能ブロック図である。
【図２】実施の形態１における監視システムの動作例を示す第１のフローチャートである。
【図３】実施の形態１における監視システムの動作例を示す第２のフローチャートである。
【図４】実施の形態１における監視システムの一例を示す模式図である。
【図５】実施の形態１における変化点情報の一例を示す図である。
【図６】監視装置のハードウェア構成図である。
【発明を実施するための形態】
【０００９】
添付の図面を参照して、監視システムを詳細に説明する。各図では、同一又は相当する部分に同一の符号を付している。重複する説明は、適宜簡略化あるいは省略する。
【００１０】
実施の形態１．
図１は、実施の形態１における監視システムの機能ブロック図である。監視システムは、監視対象機器１の動作状態を監視する。
【００１１】
図１に示すように、監視システムは、複数の監視装置２を備える。図１は、監視装置２として、第１監視装置２ａ及び第２監視装置２ｂを例示している。監視システムは、３つ以上の監視装置２を備えてもよい。
【００１２】
複数の監視装置２の中には、例えば、監視対象機器１が設置された建物に設けられた監視装置２が含まれ得る。複数の監視装置２の中には、例えば、監視対象機器１が設置された建物とは別の建物に設けられた監視装置２が含まれ得る。
【００１３】
個々の監視装置２は、監視対象機器１の動作状態を示すデータを取得可能である。監視装置２は、例えば、監視対象機器１と電気的に接続されていてもよい。監視装置２は、例えば、ネットワークを介して監視対象機器１と通信してもよい。監視装置２は、例えば、図示しない他の装置を介して、間接的に監視対象機器１の動作状態を示すデータを取得してもよい。監視装置２は、取得したデータを監視データとして記録する。
【００１４】
個々の監視装置２は、少なくとも１つの他の監視装置２と通信可能である。監視装置２は、例えば、他の監視装置２と電気的に接続されていてもよい。監視装置２は、例えば、ネットワークを介して他の監視装置２と通信してもよい。
【００１５】
図１に示すように、第１監視装置２ａは、第１監視部３、第１変化点情報管理部４、情報取得部５及び判定部６を有する。第２監視装置２ｂは、第２監視部７及び第２変化点情報管理部８を有する。なお、情報取得部５及び判定部６は、第２監視装置２ｂにも設けられてもよい。
【００１６】
第１監視部３は、監視対象機器１の動作状態を示すデータを取得する。第１監視部３は、取得したデータを第１監視データ９として記録する。第１監視データ９は、例えば、監視対象機器１の動作状態を示す経時的なデータである。第１監視データ９は、例えば、物理量で表される。
【００１７】
第２監視部７は、監視対象機器１の動作状態を示すデータを取得する。第２監視部７は、取得したデータを第２監視データ１１として記録する。第２監視データ１１は、例えば、監視対象機器１の動作状態を示す経時的なデータである。第２監視データ１１の形式は、第１監視データ９の形式とは異なる。第２監視データ１１は、例えば、第１監視データ９とは異なる物理量で表される。
【００１８】
第１変化点情報管理部４は、第１監視データ９から変化点情報を抽出する。第１変化点情報管理部４は、当該変化点情報を第１変化点情報１０として保存する。第１変化点情報１０は、例えば、第１監視データ９の変化量が予め設定された一定値を超えた時刻を示す情報である。
【００１９】
第２変化点情報管理部８は、第２監視データ１１から変化点情報を抽出する。第２変化点情報管理部８は、当該変化点情報を第２変化点情報１２として保存する。第２変化点情報１２は、例えば、第２監視データ１１の変化量が予め設定された一定値を超えた時刻を示す情報である。
【００２０】
情報取得部５は、第２監視装置２ｂから情報を取得する。情報取得部５は、例えば、第２監視装置２ｂから第２変化点情報１２を取得する。
【００２１】
判定部６は、第１監視データ９及び第２監視データ１１の正当性を判定する。判定部６は、例えば、第１変化点情報管理部４により抽出された第１変化点情報１０と情報取得部５により取得された第２変化点情報１２との類似度に基づいて判定を行う。
【００２２】
判定部６は、第１変化点情報１０と第２変化点情報１２との類似度が予め設定された基準以上である場合に、第１監視データ９及び第２監視データ１１の双方に正当性があると判定する。判定部６は、当該類似度が基準未満である場合に、第１監視データ９及び第２監視データ１１の少なくとも一方に正当性が無いと判定する。
【００２３】
図２は、実施の形態１における監視システムの動作例を示す第１のフローチャートである。図２は、監視装置２ごとに常時行われる処理を示す。
【００２４】
監視装置２は、監視対象機器１の動作状態を監視データとして記録する（ステップＳ１０１）。監視装置２は、監視データの変化量が一定値を超えたか否かを判定する（ステップＳ１０２）。ステップＳ１０２で、監視データの変化量が一定値を超えていないと判定された場合、ステップＳ１０１の処理が行われる。
【００２５】
ステップＳ１０２で、監視データの変化量が一定値を超えたと判定された場合、監視装置２は、監視データの変化量が一定値を超えた時刻を変化点情報として保存する（ステップＳ１０３）。ステップＳ１０３の後は、ステップＳ１０１の処理が行われる。
【００２６】
第１監視装置２ａにおいて、ステップＳ１０１の処理は、第１監視部３によって行われる。第１監視装置２ａにおいて、ステップＳ１０２及びステップＳ１０３の処理は、第１変化点情報管理部４によって行われる。
【００２７】
第２監視装置２ｂにおいて、ステップＳ１０１の処理は、第２監視部７によって行われる。第２監視装置２ｂにおいて、ステップＳ１０２及びステップＳ１０３の処理は、第２変化点情報管理部８によって行われる。
【００２８】
図３は、実施の形態１における監視システムの動作例を示す第２のフローチャートである。図３は、監視データの正当性を判定する処理を示す。
【００２９】
第１監視装置２ａの情報取得部５は、第２監視装置２ｂに保存された変化点情報を取得する（ステップＳ２０１）。第１監視装置２ａの判定部６は、各監視装置２に保存された変化点情報の類似度を評価する（ステップＳ２０２）。判定部６は、類似度が基準未満であるか否かを判定する（ステップＳ２０３）。
【００３０】
ステップＳ２０３において、判定部６は、例えば、第１変化点情報１０の示す時刻と第２変化点情報１２の示す時刻が一致する場合に、類似度が基準以上であると判定する。ステップＳ２０３において、判定部６は、例えば、第１変化点情報１０の示す時刻と第２変化点情報１２の示す時刻が一致しない場合に、類似度が基準未満であると判定する。
【００３１】
なお、判定部６は、例えば、第１変化点情報１０の示す時刻と第２変化点情報１２の示す時刻との時間差が予め設定された範囲内である場合に、類似度が基準以上であると判定してもよい。判定部６は、例えば、第１変化点情報１０の示す時刻と第２変化点情報１２の示す時刻との時間差が当該範囲外である場合に、類似度が基準未満であると判定してもよい。当該範囲は、例えば、１秒間に設定される。
【００３２】
ステップＳ２０３で、類似度が基準未満であると判定された場合、判定部６は、第１監視装置２ａ及び第２監視装置２ｂの少なくとも一方の監視データに正当性が無いと判定する（ステップＳ２０４）。ステップＳ２０３で、類似度が基準以上であると判定された場合、判定部６は、第１監視装置２ａ及び第２監視装置２ｂの監視データに問題が無いものとして処理を終了する。
【００３３】
図４は、実施の形態１における監視システムの一例を示す模式図である。図４は、エレベーターの動作状態を監視する監視システムを例示している。
【００３４】
図４に示す例では、監視対象機器１として、複数のエレベーター１３が存在する。エレベーター１３ａ、エレベーター１３ｂ及びエレベーター１３ｃは、例えば、同じ建物に設置されている。当該建物には、監視カメラ１４が設けられている。監視カメラ１４は、例えば、エレベーターのかご内又は乗場に設けられている。監視カメラ１４で撮像される範囲には、例えば、エレベーターのドアが含まれる。監視カメラ１４ａは、エレベーター１３ａに対応して設けられている。監視カメラ１４ｂは、エレベーター１３ｂに対応して設けられている。監視カメラ１４ｃは、エレベーター１３ｃに対応して設けられている。
【００３５】
図４に示す例では、第１監視装置２ａとして、レコーダ１５が設けられている。レコーダ１５は、例えば、エレベーター１３が設置された建物に設けられている。レコーダ１５は、監視カメラ１４と電気的に接続されている。レコーダ１５は、監視カメラ１４ａ、監視カメラ１４ｂ及び監視カメラ１４ｃで撮像された映像データを収集する。レコーダ１５は、収集した映像データを対応するエレベーター１３ごとに記録する。レコーダ１５は、エレベーター１３のローカル側監視装置として働く。
【００３６】
図４に示す例では、エレベーター１３が設置された建物にデータ収集装置１６が設けられている。データ収集装置１６は、例えば、エレベーター１３の制御装置と電気的に接続されている。データ収集装置１６は、エレベーター１３ａ、エレベーター１３ｂ及びエレベーター１３ｃの運行データを収集する。運行データには、例えば、かご位置情報、戸開閉情報、呼び登録情報及び運転モード等が含まれる。
【００３７】
図４に示す例では、第２監視装置２ｂとして、中央監視センター１７が設けられている。中央監視センター１７は、例えば、エレベーター１３が設置された建物とは別の建物に設けられている。中央監視センター１７は、データ収集装置１６と通信可能である。中央監視センター１７は、データ収集装置１６から運行データを受信する。中央監視センター１７は、受信した運行データを対応するエレベーター１３ごとに記録する。中央監視センター１７は、エレベーター１３のセンター側監視装置として働く。
【００３８】
図４に示す例において、レコーダ１５は、監視カメラ１４を介して取得したエレベーター１３の映像データを第１監視データ９として記録する。レコーダ１５は、例えば、当該映像データからエレベーター１３のドアの戸開時刻及び戸閉時刻を変化点情報として抽出する。レコーダ１５は、例えば、映像に映っているドアが戸開状態となった時刻を戸開時刻として抽出する。レコーダ１５は、例えば、映像に映っているドアが戸閉状態となった時刻を戸閉時刻として抽出する。レコーダ１５は、例えば、抽出した戸開時刻及び戸閉時刻を第１変化点情報１０として保存する。
【００３９】
ドアの戸開状態及び戸閉状態は、例えば、映像の輝度、明度、色又は濃淡等の変化に基づいて検出される。乗客又は通りすがりの人等が監視カメラ１４で撮像された場合には、画像にマスクをかけてドア以外の画像データを削除する処理を行うことで、より正確にドアの戸開状態及び戸閉状態を検出できる。
【００４０】
図４に示す例において、中央監視センター１７は、データ収集装置１６を介して取得したエレベーター１３の運行データを第２監視データ１１として記録する。中央監視センター１７は、例えば、当該運行データに含まれる戸開閉情報からエレベーター１３のドアの戸開時刻及び戸閉時刻を変化点情報として抽出する。中央監視センター１７は、例えば、抽出した戸開時刻及び戸閉時刻を第２変化点情報１２として保存する。
【００４１】
図４に示す例において、レコーダ１５は、インターネット等のネットワーク１８を介して中央監視センター１７と通信可能である。レコーダ１５は、例えば、第２監視装置２ｂに保存されている第２変化点情報１２をダウンロードする。レコーダ１５は、例えば、第１変化点情報１０の戸開時刻と第２変化点情報１２の戸開時刻とを比較する。レコーダ１５は、例えば、第１変化点情報１０の戸閉時刻と第２変化点情報１２の戸閉時刻とを比較する。
【００４２】
図５は、実施の形態１における変化点情報の一例を示す図である。図５は、図４に示す例において監視データから抽出された変化点情報を示している。
【００４３】
図５に示す例によれば、ローカル側監視装置であるレコーダ１５に記録された戸開時刻は、センター側監視装置である中央監視センター１７に記録された戸開時刻と一致している。一方、ローカル側監視装置であるレコーダ１５に記録された戸閉時刻は、センター側監視装置である中央監視センター１７に記録された戸閉時刻と一致していない。この場合、レコーダ１５は、レコーダ１５及び中央監視センター１７の少なくとも一方の監視データに正当性が無いと判定する。
【００４４】
図４に示す例では、レコーダ１５が第１監視装置２ａとして動作し、中央監視センター１７が第２監視装置２ｂとして動作する場合について説明した。しかしながら、例えば、中央監視センター１７が情報取得部５及び判定部６の機能を有していれば、中央監視センター１７が第１監視装置２ａとして動作し、レコーダ１５が第２監視装置２ｂとして動作してもよい。つまり、中央監視センター１７で第１変化点情報１０と第２変化点情報１２との比較演算を実施してもよい。
【００４５】
実施の形態１において、監視システムは、第１監視装置２ａ及び第２監視装置２ｂを備える。第１監視装置２ａは、監視対象機器１の動作状態を示す第１監視データ９を記録する。第２監視装置２ｂは、第１監視装置２ａと通信可能であり、第１監視データ９とは異なる形式で監視対象機器１の動作状態を示す第２監視データ１１を記録する。第１監視装置２ａは、第１変化点情報１０と第２変化点情報１２との類似度に基づいて、第１監視データ９及び第２監視データ１１の正当性を判定する判定部６を有する。このため、実施の形態１によれば、簡単な構成で監視データの正当性を判定することができる。
【００４６】
実施の形態１において、判定部６は、第１変化点情報１０と第２変化点情報１２との類似度が基準以上である場合に第１監視データ９及び第２監視データ１１の双方に正当性があると判定し、当該類似度が基準未満である場合に第１監視データ９及び第２監視データ１１の少なくとも一方に正当性が無いと判定する。このため、実施の形態１によれば、簡単な構成で監視データの正当性を判定することができる。
【００４７】
実施の形態１において、第１監視装置２ａは、第１変化点情報管理部４及び情報取得部５を有する。第１変化点情報管理部４は、第１監視データ９から第１変化点情報１０を抽出する。情報取得部５は、第２監視装置２ｂから情報を取得する。第２監視装置２ｂは、第２変化点情報管理部８を有する。第２変化点情報管理部８は、第２監視データ１１から第２変化点情報１２を抽出する。判定部６は、第１変化点情報管理部４により抽出された第１変化点情報１０と第２変化点情報管理部８により抽出され且つ情報取得部５により第２監視装置２ｂから取得された第２変化点情報１２との類似度に基づいて、第１監視データ９及び第２監視データ１１の正当性を判定する。このため、実施の形態１によれば、第２監視装置２ｂは、情報取得部５及び判定部６を有していなくともよい。その結果、簡単な構成で監視データの正当性を判定することができる。
【００４８】
実施の形態１において、第１監視データ９及び第２監視データ１１のうち一方は、例えば、映像データである。第１監視データ９及び第２監視データ１１のうち他方は、例えば、監視対象機器１又は監視対象機器１の制御装置等から電気的に得られたデータである。このため、実施の形態１によれば、異なる形式の監視データの正当性を判定することができる。
【００４９】
実施の形態１において、第１監視データ９及び第２監視データ１１のうち一方は、例えば、ドアが映っている映像データである。第１監視データ９及び第２監視データ１１のうち他方は、例えば、電気的に検出された戸開閉状態を示すデータである。このため、実施の形態１によれば、ドアの動作状態を示す監視データの正当性を判定することができる。
【００５０】
実施の形態１において、第１監視データ９及び第２監視データ１１のうち一方は、例えば、エレベーター１３のかご内又は乗場に設けられた監視カメラ１４で撮像されたエレベーター１３のドアが映っている映像データである。第１監視データ９及び第２監視データ１１のうち他方は、例えば、電気的に検出されたエレベーター１３の戸開閉状態を示すデータである。このため、実施の形態１によれば、エレベーターの動作状態を示す監視データの正当性を判定することができる。
【００５１】
実施の形態１において、第１監視データ９及び第２監視データ１１のうち一方は、例えば、エレベーター１３のかご内又は乗場に設けられた監視カメラ１４で撮像されたエレベーター１３の表示装置が映っている映像データであってもよい。当該表示装置は、例えば、エレベーター１３のインジケーター又はランプを備えた各種ボタン等である。第１監視データ９及び第２監視データ１１のうち他方は、例えば、電気的に検出されたエレベーター１３の動作状態を示すデータであってもよい。当該データは、例えば、エレベーター１３の運行データである。この場合、例えば、映像データから抽出された行先階ボタンの点灯時刻と運行データから抽出された呼び登録時刻とを比較することで、監視データの正当性を判定することができる。
【００５２】
実施の形態１において、情報取得部５は、例えば、第２監視装置２ｂから第２監視データ１１を取得してもよい。第１変化点情報管理部４は、例えば、第１監視データ９から第１変化点情報１０を抽出し、情報取得部５により第２監視装置２ｂから取得された第２監視データ１１から第２変化点情報１２を抽出してもよい。判定部６は、例えば、第１変化点情報管理部４により抽出された第１変化点情報１０と第１変化点情報管理部４により抽出された第２変化点情報１２との類似度に基づいて、第１監視データ９及び第２監視データ１１の正当性を判定してもよい。この場合、第２監視装置２ｂに第２変化点情報管理部８を設ける必要が無い。その結果、より簡単な構成で監視データの正当性を判定することができる。
【００５３】
実施の形態１において、監視システムは、監視装置２として、更に第３監視装置を備えてもよい。第３監視装置は、例えば、第１監視装置２ａと通信可能であり、第１監視データ９及び第２監視データ１１のうち少なくとも一方とは異なる形式で監視対象機器１の動作状態を示す第３監視データを記録する。第３監視装置は、例えば、第３監視データの変化量が予め設定された一定値を超えた時刻を示す第３変化点情報を保存する。判定部６は、例えば、第１監視データ９及び第２監視データ１１の少なくとも一方に正当性が無いと判定された場合に、第１変化点情報１０と第３変化点情報との類似度に基づいて、第１監視データ９及び第３監視データの正当性を判定してもよい。この場合、監視データに正当性が無い監視装置を特定することができる。
【００５４】
実施の形態１における監視システムは、例えば、エレベーターのドアではなく自動ドアの設備監視を行う場合にも適用できる。実施の形態１における監視システムは、例えば、モータの回転センサによる検出結果の正当性を判定することにも応用できる。
【００５５】
図６は、監視装置のハードウェア構成図である。
【００５６】
監視装置２における第１監視部３、第１変化点情報管理部４、情報取得部５、判定部６、第２監視部７及び第２変化点情報管理部８の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図６は、処理回路が、その一部が専用ハードウェア５０として形成され、プロセッサ５１及びメモリ５２を備えている場合の例を示している。
【００５７】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００５８】
処理回路が少なくとも１つのプロセッサ５１及び少なくとも１つのメモリ５２を備える場合、監視装置２の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００５９】
このように、処理回路は、ハードウェア、ソフトウェア、ファームウェア、又はこれらの組み合わせによって、監視装置２の各機能を実現することができる。
【産業上の利用可能性】
【００６０】
以上のように、本発明は、機器の動作状態を監視するシステムに利用できる。
【符号の説明】
【００６１】
１  監視対象機器
２  監視装置
２ａ  第１監視装置
２ｂ  第２監視装置
３  第１監視部
４  第１変化点情報管理部
５  情報取得部
６  判定部
７  第２監視部
８  第２変化点情報管理部
９  第１監視データ
１０  第１変化点情報
１１  第２監視データ
１２  第２変化点情報
１３  エレベーター
１３ａ  エレベーター
１３ｂ  エレベーター
１３ｃ  エレベーター
１４  監視カメラ
１４ａ  監視カメラ
１４ｂ  監視カメラ
１４ｃ  監視カメラ
１５  レコーダ
１６  データ収集装置
１７  中央監視センター
１８  ネットワーク
５０  専用ハードウェア
５１  プロセッサ
５２  メモリ
【図１】
0006638857.tif 000002
【図２】
0006638857.tif 000003
【図３】
0006638857.tif 000004
【図４】
0006638857.tif 000005
【図５】
0006638857.tif 000006
【図６】
0006638857.tif 000007